(57)【要約】【課題】  紫外線による障子紙自体の劣化を防止し、よって張り替え等を頻繁にすることなく綺麗な障子を維持することができ、また外部から障子を介して日光が十分に差し込んでも紫外線による畳の劣化、変色が生じず、これによって従来の障子における欠点、問題点を解消し、気密性或いは断熱性に優れた障子用紫外線防止シートの提供を課題とする。【解決手段】  障子紙１と透明プラスチックフィルム２とを紫外線吸収剤を含有させた透明接着剤３を用いてラミネートしてある障子用紫外線防止シートである。【選択図】        図１
2005139668.tif 000002
【特許請求の範囲】
【請求項１】
障子紙と透明プラスチックフィルムとを紫外線吸収剤を含有させた透明接着剤を用いてラミネートしてあることを特徴とする障子用紫外線防止シート。
【請求項２】
障子紙と紫外線吸収剤を含有させた透明プラスチックフィルムとをラミネートしてあることを特徴とする障子用紫外線防止シート。
【請求項３】
透明プラスチックフィルムをＰＥＴフィルムとしたことを特徴とする請求項１又は２に記載の障子用紫外線防止シート。
【請求項４】
透明プラスチックフィルムをＯＰＰフィルムとしたことを特徴とする請求項１又は２に記載の障子用紫外線防止シート。
【請求項５】
障子紙に紫外線吸収剤を含有させてなることを特徴とする障子用紫外線防止シート。
【請求項６】
障子紙をレーヨン紙としたことを特徴とする請求項１〜５の何れかに記載の障子用紫外線防止シート。
【発明の詳細な説明】
【技術分野】
【０００１】
本発明は障子枠に張られることで障子として用いられる障子用紫外線防止シートに関する。
【背景技術】
【０００２】
和室等に用いられる建具としての障子は、独特の雰囲気をもたらすものとして、また伝統的な住まいの一要素として、根強い人気がある。
従来、一般に障子は障子枠の一側に和紙等の障子紙を貼り付けた状態に構成されるが、通気性を有するため高温多湿のわが国において、その伝統的な建物には最適なものであった。
その一方、通気性が大きいため、近年における冷暖房設備の整った建物では、むしろその通気性が冷暖房の効果を逃がすものとされ、気密性が求められていた。
また障子は窓ガラスの内側等に配置されることから、障子紙が日焼けによって劣化しやすく、そのため障子紙の張り替えを頻繁に行わなければ綺麗な障子を維持できないという問題があった。
また障子を介して紫外線が室内に侵入し、畳を劣化、変色させる問題があった。
【０００３】
特開２００２−２１４４０号公報に記載の発明においては、障子枠の前面と後面との両面に障子用シートを張るようにした構造が提案され、また障子紙層に樹脂層と装飾層を積層することで、障子の断熱性を向上させながら障子紙の厚みを薄くするなどして光の透過性を向上させるようにした技術が提供されている。
また前記特開２００２−２１４４０号公報に記載の発明においては、障子紙層の汚れ防止や撥水の効果を高め、また耐久性を高める目的をもって、紫外線吸収剤及び静電防止剤を混入したコート剤を障子紙層の自由面にコーティングするようにした技術が提案されている。同様に、障子紙層と樹脂層と装飾層とからなる障子用シートの前記樹脂層の変色を防止する目的をもって、装飾層の自由面に紫外線吸収剤を混入したコート剤をコーティングし、或いは装飾層に紫外線吸収剤を混入させるようにした技術が提案されている。
【特許文献１】特開２００２−２１４４０号公報
【発明の開示】
【発明が解決しようとする課題】
【０００４】
上記特開２００２−２１４４０号公報記載の発明は、障子枠の両面に障子用シートを張る構成とし、また各障子用シートを３層構造とすることで、障子の断熱性を向上させ、光の透過率を向上させ、障子紙の変形や湾曲を防止させることをその目的とするものであり、紫外線による障子への悪影響、及び障子を通過して畳への悪影響を予防、防止することについては決して十分ではなかった。
また特開２００２−２１４４０号公報記載の発明においては、紫外線吸収剤と静電防止剤とを混入したコート剤を障子紙層の表面にコーティングする構成が開示されているが、これはあくまで障子紙層の汚れ防止と撥水効果を得るための構成であり、決して紫外線による本質的な問題を解決するものではない。同様に三層構造からなる障子用シートの最外層である装飾層に紫外線吸収剤を含むコート剤をコーティングし或いは紫外線吸収剤を混入させる構成が開示されているが、これもあくまで中央層である樹脂層の変色を防止するための構成であり、障子紙の紫外線による劣化そのものや紫外線透過による畳劣化の問題等の紫外線による本質的な問題を解決するものでは決してなかった。
【０００５】
そこで本発明は紫外線による障子紙自体の劣化を防止し、よって張り替え等を頻繁にすることなく綺麗な障子を維持することができ、また外部から障子を介して日光が十分に差し込んでも紫外線による畳の劣化、変色が生じず、これによって上記従来の障子における欠点、問題点を解消し、気密性或いは断熱性に優れた障子用紫外線防止シートの提供を課題とする。
【課題を解決するための手段】
【０００６】
上記課題を達成するため、本発明の障子用紫外線防止シートは、障子紙と透明プラスチックフィルムとを紫外線吸収剤を含有させた透明接着剤を用いてラミネートしてあることを第１の特徴としている。
また本発明の障子用紫外線防止シートは、障子紙と紫外線吸収剤を含有させた透明プラスチックフィルムとをラミネートしてあることを第２の特徴としている。
また本発明の障子用紫外線防止シートは、上記第１又は第２の特徴に加えて、透明プラスチックフィルムをＰＥＴフィルムとしたことを第３の特徴としている。
また本発明の障子用紫外線防止シートは、上記第１又は第２の特徴に加えて、透明プラスチックフィルムをＯＰＰフィルムとしたことを第４の特徴としている。
また本発明の障子用紫外線防止シートは、障子紙に紫外線吸収剤を含有させてなることを第５の特徴としている。
また本発明の障子用紫外線防止シートは、上記第１〜５の何れかに記載の特徴に加えて、障子紙をレーヨン紙としたことを第６の特徴としている。
【発明の効果】
【０００７】
請求項１に記載の障子用紫外線防止シートによれば、障子紙と透明プラスチックフィルムとを紫外線吸収剤を含有させた透明接着剤を用いてラミネートしてあるので、
透明プラスチックフィルムと障子紙とのラミネートにより、障子用紫外線防止シートとしての気密性を向上させることができ、冷暖房を完備した近代の家屋に適した障子を提供することができる。
また障子用紫外線防止シートは、障子紙以外のプラスチックフィルムとラミネート用の接着剤は何れも透明であるので、障子紙だけの場合にくらべても日光の透過量が減少することがない。
その一方、接着剤に含有させた紫外線吸収剤により外部から入ってくる光から紫外線の大半を吸収することができるので、紫外線は障子紙には達せず、よって障子紙が紫外線によって劣化するのを防止することができる。また外部から障子用紫外線防止シートを通過して室内に光が十分に差し込む場合においても、その差し込まれた光からは既に紫外線が吸収、除去されているので、室内の畳やその他の物品が紫外線によって変色し、劣化することが十分に防止される。よって障子が長持ちし、また畳等が長持ちし、障子や畳の張り替えや取り替えのメンテナンスを軽減することができる。
しかも前記紫外線吸収剤はラミネート用の接着剤に含有させているので、紫外線吸収剤を表面にコーティングさせた特別仕様のプラスチックフィルムや、紫外線吸収剤を含有させた特別仕様のプラスチックフィルムを用いる必要がなく、材料コスト等のコスト低減を十分に図ることができる。
【０００８】
また請求項２に記載の障子用紫外線防止シートによれば、障子紙と紫外線吸収剤を含有させた透明プラスチックフィルムとをラミネートしてあるので、
上記請求項１に記載の障子用紫外線防止シートの場合と同様の効果を上げることができる。即ち、障子用紫外線防止シートとしての気密性を向上させることができ、冷暖房を完備した近代の家屋に適した障子を提供することができる。また障子紙だけの場合にくらべても日光の透過量が減少することがない。また障子紙や室内の畳、その他の物品が紫外線によって劣化するのを防止し、障子や畳の張り替えや取り替えのメンテナンスを軽減することができる。
また請求項２に記載の障子用紫外線防止シートによれば、紫外線吸収剤を透明プラスチックフィルムに含有させて構成したことで、透明接着剤に紫外線吸収剤を含有させる必要がなくなり、よって使用する透明接着剤と紫外線吸収剤との相性を考慮する必要がないので、種類が限定されない。また場合によっては接着剤を用いないラミネート方法によって透明プラスチックフィルムと障子紙とをラミネートすることも可能となり、障子用紫外線防止シートの製造方法の選択を増加させることが可能となる。
【０００９】
また請求項３に記載の障子用紫外線防止シートによれば、請求項１又は２に記載の構成による上記効果に加えて、透明プラスチックフィルムをＰＥＴフィルムとしたので、
ＰＥＴ（ポリエチレンテレフタレート）フィルムが持つ特性である、強度に優れ、また透明性や光沢性もよく、耐寒性もよい障子用紫外線防止シートを得ることができる。
【００１０】
また請求項４に記載の障子用紫外線防止シートによれば、請求項１又は２に記載の構成による上記効果に加えて、透明プラスチックフィルムをＯＰＰフィルムとしたので、ＯＰＰ（延伸ポリプロピレン）フィルムが持つ特性である、軽くて、透明性、光沢性、強度に優れ、また防湿性、耐寒性に優れた性質を有する障子用紫外線防止シートを得ることができる。
【００１１】
また請求項５に記載の障子用紫外線防止シートによれば、障子紙に紫外線吸収剤を含有させてなるので、
透明プラスチックフィルムをラミネートすることなく、障子紙だけで該障子紙が紫外線によって劣化するのを防止することができる。また外部からの光が室内に差し込むのを障子紙だけで防止乃至軽減し、室内の畳やその他の物品が紫外線によって変色し、劣化するのを防止することができる。
【００１２】
また請求項６に記載の障子用紫外線防止シートによれば、請求項１〜５の何れかに記載の構成による上記効果に加えて、障子紙をレーヨン紙としたので、
障子用紫外線防止シートの障子紙の材料を従来からよく用いられている障子用シート（レーヨンに障子紙）と同様なものとすることができ、違和感なく使用することができる。
【発明を実施するための最良の形態】
【００１３】
図１は本発明の実施形態を示す障子用紫外線防止シートの断面図である。
【００１４】
図１を参照して、障子用紫外線防止シートは、障子紙１と透明プラスチックフィルム２とを透明接着剤３によってラミネートし、１枚のシートとされている。
前記障子紙１はレーヨン紙を用いている。勿論、障子紙１としては、他の和紙やその他の合成繊維、化学パルプを用いた材質からなる一般的な障子紙を用いることが可能である。この障子紙１は透明プラスチックフィルム２と良好にラミネートされるものが好ましい。
【００１５】
上記障子紙１にラミネートされる透明プラスチックフィルム２は、ＰＥＴフィルムとしている。透明プラスチックフィルム２の役割は、その気密性にあり、冷暖房運転に対して障子で仕切られた室内の気密性を保ち、その運転効果を上げることができる。また透明のプラスチックフィルム２を用いることで、プラスチックフィルムが目立たないようにして障子紙１による障子らしさを保つようにしている。
前記ＰＥＴフィルムを用いることで、ＰＥＴフィルムの特性である、強度に優れ、透明性や光沢性もよく、また耐寒性もよい障子用紫外線防止シートを得ることができる。
【００１６】
前記透明接着剤３には、紫外線吸収剤を含有させてある。この紫外線吸収剤としては、ベンゾトリアゾール系紫外線吸収剤を用いる。勿論、紫外線吸収剤３としては他の公知の紫外線吸収剤の使用も可能である。
透明接着剤３は、障子紙１と透明プラスチックフィルム２とのラミネートに適した透明の接着剤を用いる。この透明接着剤３としてはポリエーテル系のものを用い、ドライラミネート方式によりラミネートを行う。透明接着剤３には、予め紫外線吸収剤を含有させておくことになる。エーテル系は結合分子内に（Ｏ）を持っており、Ｈ２Ｏ（水）に影響されない利点がある。
勿論、前記透明接着剤３としては、ポリエーテル系のものを用いる他、前記ラミネートをドライラミネート方式で行う場合は、ビニール系樹脂、セルロース系樹脂、エポキシ系樹脂を有機溶剤に溶かした透明接着剤を用いることができる。またラミネートはウエットラミネート方式によって行うことも可能である。この場合には、透明接着剤４としてポリビニル系樹脂、その他の公知のウエットラミネート用の透明接着剤を用いることが可能である。
【００１７】
上記において、障子紙１として用いるレーヨン紙と透明プラスチックフィルム２として用いるＰＥＴフィルムとは、例えばレーヨン紙を１５〜２５ｇ／ｍ２の厚みとし、ＰＥＴフィルムを１０〜１５μｍｍの厚みとして、障子用紫外線防止シートを構成することができる。
【００１８】
以上のようにしてなる障子用紫外線防止シートは、その障子紙１の自由面１ａで障子枠に貼り付けることによって障子とすることができる。
外部から室内に入ってくる光は、先ず透明プラスチックフィルム２を通過し、次に透明接着剤３の層を通り、更に障子紙１を通過して室内に届く。このとき外部からの紫外線は透明接着剤３の層を通過する間に吸収され、障子紙１及び室内にはほとんど届かない。
よって障子紙１の劣化や変色、畳の日焼け、室内品の劣化や変色を十分に防止し、張り替えや取り替えまでの寿命を十分に延長することができる。
【００１９】
前記障子紙１と透明プラスチックフィルム２との組み合わせは、レーヨン紙とＯＰＰフィルムとを用いてすることができる。この場合は、レーヨン紙からなる障子紙１とＯＰＰフィルムからなる透明プラスチックフィルム２とを紫外線吸収剤含有の透明接着剤３にてラミネートして、障子用紫外線防止シートとする。
前記ＯＰＰフィルムを用いることで、ＯＰＰフィルムの特性である、軽くて、透明性、光沢性、強度に優れ、また防湿性、耐寒性に優れた性質を有する障子用紫外線防止シートを得ることができる。
【００２０】
上記において、障子紙１として用いるレーヨン紙と透明プラスチックフィルム２として用いるＯＰＰフィルムとは、例えばレーヨン紙を１５〜２５ｇ／ｍ２の厚みとし、ＯＰＰフィルムを１５〜２４μｍｍの厚みとして、障子用紫外線防止シートを構成することができる。
【００２１】
以上の実施形態では紫外線吸収剤を透明接着剤３に含有させて用いたが、紫外線吸収剤を含有させた透明プラスチックフィルム２を用いることができる。この場合には、透明プラスチックフィルム２を製造する際に予め紫外線吸収剤を含有させて製造する。そして紫外線吸収剤を含有する透明プラスチックフィルム２と障子紙１とを透明接着剤３でラミネートする。
紫外線吸収剤を含有させた透明プラスチックフィルム２を用いる場合は、透明接着剤３には紫外線吸収剤を含有させる必要はない。
紫外線吸収剤を含有させた透明プラスチックフィルム２を用いた障子用紫外線防止シートの場合は、外部からの光に含まれる紫外線が透明プラスチックフィルム２を通過する間に吸収され、障子紙１及び室内にはほとんど届かない。これによって障子紙１の劣化や変色、畳の日焼けや劣化等が防止され、張り替えや取り替えまでの寿命が延長される。
【００２２】
更に紫外線吸収剤を障子紙に直接含有させることで、障子用紫外線防止シートとすることが可能である。この場合には、透明プラスチックフィルム２は不要とすることができる。レーヨン等の障子紙に直接的に紫外線吸収剤を含有させることで、外見上においても従来の障子紙と変らないような障子用紫外線防止シートを提供することができる。
【図面の簡単な説明】
【００２３】
【図１】本発明の実施形態を示す障子用紫外線防止シートの断面図である。
【符号の説明】
【００２４】
１      障子紙
１ａ    障子紙の自由面
２      透明プラスチックフィルム
３      透明接着剤（紫外線吸収剤含有）
【図１】
2005139668.tif 000003